(57)【特許請求の範囲】
【請求項１】
放電時に発生する紫外線により複数色の蛍光体を励起してカラー表示を行うプラズマ・ディスプレイ・パネルにおいて、
表示負荷率が高くなるに従い維持放電の駆動周波数を下げてパネルの駆動を行うと共に、前記複数色に対応する入力画像信号の強度値に応じて前記パネルの各色の画素を駆動して当該強度値に対応する発光強度で前記画素を発光させる駆動部を有し、
前記駆動部は、表示負荷率が高くなると、表示負荷率が低い場合に比較して、前記表示負荷率が低い場合と高い場合とで、白色表示時の前記各色の蛍光体の発光強度の比率が略同じになるように、所定の色に対応する前記入力画像信号の強度値を補正し、当該補正された入力画像信号の強度値に応じて前記各色の画素の駆動を行うことを特徴とするプラズマ・ディスプレイ・パネル。
【請求項２】
放電時に発生する紫外線により複数色の蛍光体を励起してカラー表示を行うプラズマ・ディスプレイ・パネルにおいて、
表示負荷率が高くなるに従い維持放電の駆動周波数を下げてパネルの駆動を行うと共に、前記複数色に対応する入力画像信号の強度値に応じて前記パネルの各色の画素を駆動して当該強度値に対応する発光強度で前記画素を発光させる駆動部を有し、
前記駆動部は、表示負荷率が高くなると、表示負荷率が低い場合に比較して、緑色の前記入力画像信号の強度値を下げるか、または青色の前記入力画像信号の強度値を上げるように補正し、当該補正された入力画像信号の強度値に応じて前記各色の画素の駆動を行うことを特徴とするプラズマ・ディスプレイ・パネル。
【請求項３】
放電時に発生する紫外線により複数色の蛍光体を励起してカラー表示を行うプラズマ・ディスプレイ・パネルにおいて、
表示負荷率が高くなるに従い維持放電の駆動周波数を下げてパネルの駆動を行うと共に、前記複数色に対応する入力画像信号の強度値に応じて前記パネルの各色の画素を駆動して当該強度値に対応する発光強度で前記画素を発光させる駆動部を有し、
前記駆動部は、表示負荷率が低くなると、表示負荷率が高い場合に比較して、緑色の前記入力画像信号の強度値を上げるか、または青色の前記入力画像信号の強度値を下げるように補正し、当該補正された入力画像信号の強度値に応じて前記各色の画素の駆動を行うことを特徴とするプラズマ・ディスプレイ・パネル。
【請求項４】
請求項２または３において、
前記駆動部は、パネルの消費電力を監視し、前記消費電力が大きい方に変化するときに前記表示負荷率が高くなるときの入力画像信号の強度値の補正を行い、前記消費電力が小さい方に変化するときに前記表示負荷率が低くなるときの入力画像信号の強度値の補正を行うことを特徴とするプラズマ・ディスプレイ・パネル。
【請求項５】
請求項２または３において、
前記駆動部は、パネルの維持放電の駆動周波数を監視し、前記駆動周波数が小さい方に変化するときに前記表示負荷率が高くなるときの入力画像信号の強度値の補正を行い、前記駆動周波数が小さい方に変化するときに前記表示負荷率が低くなるときの入力画像信号の強度値の補正を行うことを特徴とするプラズマ・ディスプレイ・パネル。
【請求項６】
請求項２または３において、
前記駆動部は、所定の単位時間当たりに供給される各色の輝度値を監視し、前記単位時間当たりの各色の輝度値の累計が高いときに前記表示負荷率が高くなるときの入力画像信号の強度値の補正を行い、前記単位時間当たりの各色の輝度値の累計が低いときに前記表示負荷率が低くなるときの入力画像信号の強度値の補正を行うことを特徴とするプラズマ・ディスプレイ・パネル。
【請求項７】
放電時に発生する紫外線により複数色の蛍光体を励起してカラー表示を行うプラズマ・ディスプレイ・パネルにおいて、
駆動周波数に応じて維持放電を繰り返すと共に、前記複数色に対応する入力画像信号の強度値に応じた前記維持放電の期間において前記パネルの各色の画素を駆動して当該強度値に対応する発光強度で前記画素を発光させる駆動部を有し、
前記駆動部は、白色表示時の色度座標値が、表示画像の輝度及びまたは表示面積に依存する表示負荷にかかわらず略一定であるように、前記駆動周波数の周波数領域を前記蛍光体の発光強度が飽和領域に達しない範囲に制限することを特徴とするプラズマ・ディスプレイ・パネル。
【請求項８】
放電時に発生する紫外線により複数色の蛍光体を励起してカラー表示を行うプラズマ・ディスプレイ・パネルにおいて、
駆動周波数に応じて維持放電を繰り返すと共に、前記複数色に対応する入力画像信号の強度値に応じた前記維持放電の期間において前記パネルの各色の画素を駆動して当該強度値に対応する発光強度で前記画素を発光させる駆動部を有し、
前記駆動部は、白色表示時の色温度値が、表示画像の輝度及びまたは表示面積に依存する表示負荷にかかわらず略一定であるように、前記駆動周波数の周波数領域を前記蛍光体の発光強度が飽和領域に達しない範囲に制限することを特徴とするプラズマ・ディスプレイ・パネル。
【請求項９】
放電時に発生する紫外線により複数色の蛍光体を励起してカラー表示を行うプラズマ・ディスプレイ・パネルにおいて、
駆動周波数に応じて維持放電を繰り返すと共に、前記複数色に対応する入力画像信号の強度値に応じた前記維持放電の期間において前記パネルの各色の画素を駆動して当該強度値に対応する発光強度で前記画素を発光させる駆動部を有し、
前記駆動部は、白色表示時の黒体放射曲線で表される色温度曲線に対する偏差値が、表示画像の輝度及びまたは表示面積に依存する表示負荷にかかわらず略一定であるように、前記駆動周波数の周波数領域を前記蛍光体の発光強度が飽和領域に達しない範囲に制限することを特徴とするプラズマ・ディスプレイ・パネル。
【請求項１０】
放電時に発生する紫外線により複数色の蛍光体を励起してカラー表示を行うプラズマ・ディスプレイ・パネルにおいて、
駆動周波数に応じて維持放電を繰り返すと共に、前記複数色に対応する入力画像信号の強度値に応じた前記維持放電の期間において前記パネルの各色の画素を駆動して当該強度値に対応する発光強度で前記画素を発光させる駆動部を有し、
前記駆動部は、白色表示時の色度座標値が、表示画像の輝度及び／又は表示面積に依存する表示負荷にかかわらず黒体放射曲線で表される色温度曲線から±０．００５uv以内の偏差領域にあるように、前記駆動周波数の周波数領域を前記蛍光体の発光強度が飽和領域に達しない範囲に制限することを特徴とするプラズマ・ディスプレイ・パネル。
【発明の詳細な説明】
【０００１】
【発明の属する技術分野】
本発明は、プラズマ・ディスプレイ・パネル（以下簡単にＰＤＰ）に関し、特に表示負荷率にかかわらず色温度または色偏差を一定にすることができるＰＤＰに関する。
【０００２】
【従来の技術】
ＰＤＰは、４２インチの大画面を可能にするフラット表示パネルの一つである。ＰＤＰは、前面側基板と背面側基板との間に放電ガスを封入したガス放電空間を有する。ガス放電空間で放電することにより発生するイオンと電子の空間電荷によって発生した紫外線により、内部に形成された蛍光体を励起し所望の色表示を可能にする。一般的には、赤（Ｒ）、緑（Ｇ）、青（Ｂ）の三原色の蛍光体を画素に形成し、それぞれの画素での発光強度を制御することで、三原色の組み合わせによるカラー表示を行う。
【０００３】
その場合、ＲＧＢの階調が例えば２５６階調とすると、ＲＧＢの階調が全て０階調の場合は、黒表示が行われ、ＲＧＢの階調が全て２５６階調の場合は白表示が行われる。また、ＲＧＢの階調が２５６階調に満たないが全て等しい場合は、輝度の低い白表示（グレー）が行われる。
【０００４】
図１は、色温度曲線図である。横軸がｘ色度座標、縦軸がｙ色度座標を示す。そして、偏差０の曲線が、黒体放射曲線であり曲線に沿って色温度が変化する。この黒体放射曲線に沿って、色温度が高い場合は青白い白色になり、色温度が低い場合は黄色っぽい白色になる。また、それぞれの色温度において、偏差が正の方向にずれると緑っぽい白色になり、負の方向にずれると赤っぽい白色になる。
【０００５】
一般に、三原色により形成される白色の色温度は、例えば９０００〜１００００Ｋ程度が日本人には最適と評されている。または、例えば６０００Ｋ程度が欧米人には最適と評されている。そして、ＰＤＰにおける白色は、上記の最適の色温度値に設定されることが望ましい。
【０００６】
【発明が解決しようとする課題】
図２は、一般的なＰＤＰの表示負荷率と色温度値及び色温度偏差量との関係を示す図である。図２（Ａ）は、３種類のＰＤＰについて表示負荷率と表示される白色の色温度値との関係を示し、図２（Ｂ）は、同じ３種類のＰＤＰについて表示負荷率と表示される白色の色温度偏差量との関係を示す。表示負荷率とは、表示画像の輝度及び・または表示面積などに依存した表示負荷の割合であり、第１に、表示画面全体にわたり最大階調の２５６階調の白色を表示した場合は、表示負荷率１００％になり、第２に表示画面内の白色対黒色の比率が低くなるに従い表示負荷率は低下し、第３に同じ比率でも白色の階調値が下がるに従い表示負荷率は低下する。
【０００７】
図２（Ａ）に示される通り、例えば、Ｂ社製の場合、表示負荷率が３０％程度の時に色温度値は１００００Ｋと、ほぼ最適な白色を表示しているが、表示負荷率が高くなるに従い、白色の色温度値が低下し、黄色っぽい白色になることが見いだされた。Ａ社、Ｃ社も同様の傾向にある。
【０００８】
また、図２（Ｂ）に示される通り、Ａ社製、Ｃ社製の場合、表示負荷率が３０％程度の時に色温度の偏差量がほぼ０に近いが、表示負荷率が高くなるに従い、その偏差量が正側に変化し、緑っぽい白色になることが見いだされた。
【０００９】
このように、表示負荷率に依存して白色が色付いて見えることは甚だ問題である。
【００１０】
そこで、本発明の目的は、表示負荷率に依存して白色の色度座標が変動しないＰＤＰを提供することにある。
【００１１】
また、本発明の目的は、表示負荷率に依存して白色の色温度が変動しないＰＤＰを提供することにある。
【００１２】
更に、本発明の目的は、表示負荷率が変化しても白色の色度座標値が黒体放射曲線上の偏差量が変動しないＰＤＰを提供することにある。
【００１３】
【課題を解決するための手段】
上記の目的を達成するために、本発明の一つの側面は、ＰＤＰの駆動手段において、表示負荷率が高くなると、表示負荷率が低い場合に比較して、緑色の発光強度を下げるか、青色の発光強度を上げるように補正して表示を行う。または、表示負荷率が低くなると、表示負荷率が高い場合に比較して、緑色の発光強度を上げるか、青色の発光強度を下げるように補正して表示を行う。かかる補正は、発光周波数が高くなるにしたがい、蛍光体の単色発光輝度が、青色よりも緑色のほうがより大きく低下するという飽和特性を有する場合に有効である。従って、その飽和特性が緑色と青色とで逆の関係になる場合は、上記の補正における発光強度の上げ、下げは逆にする必要がある。
【００１４】
表示負荷率の検出には、種々の方法が考えられる。例えば、好ましい実施例では、パネルの消費電力を監視して、消費電力が高くなるように変化する場合は、緑色の発光強度を下げるか、青色の発光強度を上げるように補正して表示を行う。逆に、消費電力が低くなるように変化する場合は、緑色の発光強度を上げるか、青色の発光強度を下げるように補正して表示を行う。
【００１５】
または、別の好ましい実施例では、維持放電パルスの駆動周波数を監視して、駆動周波数が低く変化する場合は、緑色の発光強度を下げるか、青色の発光強度を上げるように補正して表示を行う。逆に、駆動周波数が高く変化する場合は、緑色の発光強度を上げるか、青色の発光強度を下げるように補正して表示を行う。
【００１６】
上記の発光強度を上げたり下げたりする補正の方法としては、供給される緑色や青色の信号強度を、上げたり下げたりすることが好ましい。それにより、同じ信号強度の白色に対して、表示負荷率が高くなるに従い、例えば緑色の信号強度が低めに補正され、表示負荷率が低い場合と同じ白色が表示される。
【００１７】
上記の発明によれば、表示負荷率の変動に伴って、表示される白色の色温度値若しくは色温度の偏差量が変動して最適な色度座標値からずれることが防止される。
【００１８】
上記の目的を達成するために、本発明の別の側面は、ＰＤＰの駆動手段において、維持放電パルスの駆動周波数を、パネルの蛍光体の発光強度が飽和しない領域の範囲に限定するよう制御する。この場合は、駆動手段は、パネルのＲＧＢの蛍光体の発光強度が、駆動周波数が高くなるに従って異なる飽和特性を有する場合に、その飽和領域に達する駆動周波数を利用しない。従って、ＲＧＢの蛍光体の発光強度の飽和特性による影響を排除し、表示負荷率に依存せずに、表示される白色の色温度値若しくは色温度の偏差量をほぼ一定に保ち、最適な色度座標値からずれることが防止される。
【００１９】
上記の目的を達成するために、本発明は、放電時に発生する紫外線により複数色の蛍光体を励起してカラー表示を行うプラズマ・ディスプレイ・パネルにおいて、
前記プラズマ・ディスプレイ・パネル駆動部は、表示負荷率が高くなると、表示負荷率が低い場合に比較して、前記表示負荷率が低い場合と高い場合とで、白色表示時の前記各色の蛍光体の発光強度の比率が略同じになるように、所定の色の蛍光体の発光強度を変更するよう補正することを特徴とする。
【００２０】
更に、本発明の目的は、白色表示時の色度座標値が、表示画像の輝度及びまたは表示面積に依存する表示負荷にかかわらず黒体放射曲線で表される色温度曲線から±０．００５ｕｖ以内の偏差領域にあることで、表示負荷率に依存して白色が色付いて見えることのないＰＤＰを提供することにある。
【００２１】
【発明の実施の形態】
以下、図面を参照して本発明の実施の形態例を説明する。しかしながら、かかる実施の形態例が、本発明の技術的範囲を限定するものではない。
【００２２】
図３は、ＰＤＰの表示負荷率と消費電力及び駆動周波数の関係を示す図である。表示負荷率が高くなるに従い、即ち、表示面積が広くなり、白色の表示輝度が高くなるに従い、必要な維持放電時の発光回数が大きくなり、パネルで消費される電力が大きくなる。しかしながら、通常のＰＤＰにおいては、消費電力が高くなることは好ましくなく、表示負荷率が高くなっても消費電力は所定の値にクランプされるように、駆動回路が維持放電時の駆動周波数を制限している。即ち、図３中に示される通り、駆動回路は、所定の表示負荷率を超えた後で、表示負荷率が更に大きくなるように変化する場合、駆動周波数を下げるように制御し、消費電力が所定値にクランプされるようにする。
【００２３】
図４は、ＰＤＰの駆動周波数ｆと蛍光体単色発光輝度との関係を示す図である。一般にＰＤＰに使用可能な蛍光体の単色発光輝度は、駆動周波数が低い領域では低く、駆動周波数が高くなり発光回数が増加するとその単色発光輝度は高くなる。しかし、図４に示される通り、駆動周波数をより高くすると、ＲＧＢ各色の蛍光体の発光輝度は、飽和領域に達する。しかも、ＲＧＢの蛍光体の飽和特性は、緑色の蛍光体の発光輝度が大きく低下し、青色の蛍光体の発光輝度はそれほど大きく低下しない。かかる飽和特性は蛍光体特有の特性であるが、現在のところ使用可能な蛍光体のほとんどがかかる飽和特性を有する。
【００２４】
図３の駆動方法と図４蛍光体の飽和特性とが、図２に示した白色の色度座標値が変動する原因の一つと考えられる。図５は、図３，４の現象に従って、表示負荷率と駆動周波数と色温度特性とを一つの表にまとめた図表である。ケースＡは表示負荷率が小さい場合、ケースＢは表示負荷率が大きい場合をそれぞれ示す。
【００２５】
ケースＡ，Ｂの表示負荷率が小さい場合と大きい場合とを比較すると、図３に示される通り、駆動周波数はケースＡで高く、ケースＢで低い、また、消費電力の変化の方向は、ケースＡの方向でより小さく、ケースＢの方向でより大きくなる。そして、図４に示された通り、蛍光体の飽和特性により、表示負荷率が大きいケースＢでは、表示負荷率が小さいケースＡに比較して、緑色の発光強度が強めになり、青色の発光強度が弱めになる。
【００２６】
従って、本実施の形態例では、表示負荷率が低い領域で白色における各色の相対構成比を最適に設定していると仮定すると、表示負荷率が大きいケースＢでは、表示負荷率が小さいケースＡより緑色の発光強度を下げるように補正する。若しくは、表示負荷率が大きいケースＢでは、表示負荷率が小さいケースＡより青色の発光強度を上げるように補正する。或いは、緑色と青色を同時に補正する。
【００２７】
逆に、表示負荷率が高い領域で白色における各色の相対構成比を最適に設定していると仮定すると、表示負荷率が小さいケースＡでは、表示負荷率が大きいケースＢより緑色の発光強度を上げるように補正する。若しくは、表示負荷率が小さいケースＡでは、表示負荷率が大きいケースＢより青色の発光強度を下げるように補正する。或いは、緑色と青色を同時に補正する。
【００２８】
図６は、本実施の形態例が適用されるＰＤＰのパネル構成図である。前面側基板１は、透明基板であり、例えばガラス基板で構成される。前面側ガラス基板１上には、維持電極２としてＸ電極とＹ電極が交互に設けられ、Ｘ電極とＹ電極で表示電極対を構成する。維持電極２上には、誘電体層３とＭｇＯからなる保護層３とが設けられる。背面側基板１１は、例えばガラス基板で構成され、維持電極２と直交方向に複数のアドレス電極１２、図示されない誘電体層、赤色（Ｒ）、緑色（Ｇ）、青色（Ｂ）の三原色の蛍光体１３Ｒ、１３Ｇ、１３Ｂ及び隔壁１４とが形成される。隔壁１４は、アドレス電極１２の間に設けられる。また、両基板間には図示しない放電ガスが封入される。
【００２９】
各画素は、ＲＧＢの蛍光体１３Ｒ、１３Ｇ、１３Ｂをそれぞれ有し、三原色の発光強度の組み合わせにより、所望の色が表示される。例えば、三原色の発光強度が全て最大の場合は、最大階調の白色が再現され、三原色の発光強度が全てゼロの場合は、黒色が再現される。
【００３０】
図７は、図６に示したＰＤＰの駆動波形パルスの例を示す図である。図７には一つのサブフレーム内の駆動波形パルスが示される。アドレス電極Ａ１，Ａ２，．．．．Ａｍは一本毎にアドレスドライバに接続され、アドレス走査期間Ｔａにおいて表示データに応じてアドレスパルスＡ（１），Ａ（２），．．．．Ａ（ｎ）が印加される。Ｙ電極Ｙ１，Ｙ２，．．．．ＹｎはＹスキャンドライバに接続され、アドレス走査時においてＹスキャンドライバから選択パルスが印加され、発光時（サステイン期間）においてはＹ共通ドライバから維持放電パルスが印加される。Ｘ電極は全ライン共通にＸ共通ドライバに接続され、パルスが印加される。これらドライバ回路は制御回路によって制御され、外部からの同期信号やデータを含む入力信号によって制御される。
【００３１】
プラズマ・ディスプレイ・パネルの階調表示は、表示データの各ビットをサブフレーム期間に対応させ、ビットの重み付けに応じてサブフレーム中の維持放電期間の長さを変えることにより行っている。例えば、ｊビットで２ｊ階調表示を行う場合、１フレームをｊ個のサブフレームに分割する。各サブフレームの維持放電期間Ｔｓ  ｓｆ（ｊ）の長さは１：２：４：８：．．．．２ｊ−１の比率になっている。ここでアドレス期間Ｔａ  ｓｆとリセット期間Ｔｒは全サブフレーム同じ長さである。
【００３２】
１サブフレーム期間はリセット期間Ｔｒ、アドレス期間Ｔａ、及び維持放電期間Ｔｓ（Ｔｓ  ｓｆ）とからなる。リセット期間Ｔｒにおいては全Ｙ電極を０Ｖにし、全アドレス電極、Ｘ電極にそれぞれパルスを加え、全セル放電の後、自己中和し放電終息する自己消去放電を行う。次にアドレス走査期間Ｔａにおいて、表示データに応じたセルのＯｎ／Ｏｆｆを行うために１ラインごとにアドレス選択・放電を行い、プライミング（種火）電荷を蓄積する。その後、維持放電期間Ｔｓで、Ｘ電極、Ｙ電極交互にパルスが印加されて維持放電が行われ、１サブフレームの画像表示が行われる。上記、維持放電期間のパルスの回数により輝度が決定される。
【００３３】
以上のように１からｊまでのサブフレームを選択的に点灯させることで０から２ｊ−１までの階調の輝度を表示できる。
【００３４】
また、維持放電期間Ｔｓにおける維持放電パルスの駆動周波数を高くすると、全体の発光回数を多くすることができ、輝度を高くすることができる。但し、駆動周波数が高くなると、パネルの消費電力が高くなる傾向にある。
【００３５】
図８は、第１の実施の形態例におけるＰＤＰと駆動ユニットの構成例を示す図である。ＰＤＰと駆動ユニット８０とは、例えばフレキシブルケーブルによって接続される。図中、ＰＤＰには、アドレス電極Ａ、Ｘ電極Ｘ、Ｙ電極Ｙ及び画素Ｃが示される。
【００３６】
駆動ユニット８０には、アドレス電極Ａを駆動するアドレスドライバ８９Ａ，８９Ｂと、Ｙ電極を走査時に駆動するスキャンドライバ８６と、Ｘ電極を共通に駆動するＸ共通ドライバ８５と、Ｙ電極を共通に駆動するＹ共通ドライバ８７とを有する。また、外部からのフレーム毎の画像データＤＦは、ＲＧＢの画像データを含み、信号強度調整部９１を介してデータ処理回路８３内のフレームメモリ８３０に格納される。また、外部からの同期信号Ｖｓｙｎｃ、Ｈｓｙｎｃは、スキャンコントローラ８１及び共通ドライバコントローラ８２にそれぞれ供給される。
【００３７】
データ処理回路８３とパネル駆動を制御するスキャンコントローラ８１及び共通ドライバコントローラ８２とで、制御回路９０が構成される。データ処理回路８３は、例えば、供給されたフレーム毎のＲＧＢ画像データに対して、ガンマ変換、二値化処理によるサブフィールドデータＤｓｆへの変換を行いフレームメモリ８３０に格納される。そして、スキャンコントローラ８１からの図示しないタイミング信号に従って、サブフィールドデータＤｓｆがアドレスドライバ８９Ａ，８９Ｂに供給される。
【００３８】
また、スキャンコントローラ８１は、アドレス期間ＴＡに、供給される上記同期信号に応じて、スキャンドライバ８６にタイミング信号を供給する。また、共通ドライバ８２は、リセット期間ＴＲ及び維持放電期間ＴＳにおいて、Ｘ、Ｙ共通ドライバ８５，８７に、所定のタイミング信号を供給する。共通ドライバ８２には、全体の消費電力が所定の値より高くならないように、維持放電期間での維持放電パルスの駆動周波数を制御する機能が含まれる。
【００３９】
この消費電力は、例えば電源回路８４により消費される電流で検出することができる。または、維持放電期間に駆動周波数の駆動パルスをＸ電極に与えるＸ共通ドライバから、表示負荷率に応じた消費電力を検出することもできる。その場合は、図示される電力検出部９２が、Ｘ共通ドライバ８５における消費電力を検出する。
【００４０】
第１の実施の形態例では、電力検出部９２により検出される維持放電期間における電力の変化ＰＷ１に応じて、信号強度調整部９１は、図５で示した様に消費電力ＰＷ１が増加するように変化する時は、画像信号に含まれる緑色の画像信号の強度値を下げるように調整する。或いは、画像信号に含まれる青色の画像信号の強度値を上げるように調整する。
【００４１】
または、信号強度調整部９１は、図５で示した様に消費電力ＰＷ１が減少するように変化する時は、画像信号に含まれる緑色の画像信号の強度値を上げるように調整する。或いは、画像信号に含まれる青色の画像信号の強度値を下げるように調整する。
【００４２】
そして、緑色及び・または青色の画像信号の強度が調整されてから、データ処理回路８３に供給される。従って、白色の色温度値や偏差は、消費電力の大小にかかわらず、ほぼ一定に保たれる。
【００４３】
緑色や青色の画像信号の強度の調整は、データ処理部８３内で行うこともできる。例えば、ガンマ変換時に、ガンマテーブルの出力値を増加または減少させることにより、緑色や青色の画像信号の強度値を増減して補正することができる。但し、信号強度調整部９１を利用することにより、従来のデータ処理回路８３をそのまま利用することができる。
【００４４】
電源回路８４内にて全体の電力の変動を基に、上記と同様の緑色や青色の階調の補正を行っても良い。
【００４５】
図９は、第２の実施の形態例におけるＰＤＰと駆動ユニットの構成例を示す図である。駆動ユニット８０の構成は、図８の第１の実施の形態例とほぼ同じである。異なるところは、外部からのフィールド毎の画像データＤＦが、信号強度調整部９１に供給されると共に、信号強度検出部９３にも供給される。信号強度検出部９３は、例えば、ＲＧＢ画像データの強度値を監視し、１フィールド分の強度値の累積を検出する。それにより、ＰＤＰの表示負荷率を間接的に検出することができる。
【００４６】
そして、信号強度検出部９３で検出された信号強度情報（データ）は、信号強度調整部９１に供給される。信号強度調整部９１は、前述した通り、検出された信号強度が高くなると、画像信号に含まれる緑色の画像信号の強度値を下げるように調整する。或いは、画像信号に含まれる青色の画像信号の強度値を上げるように調整する。
【００４７】
または、信号強度調整部９１は、検出された信号強度が低くなると、画像信号に含まれる緑色の画像信号の強度値を上げるように調整する。或いは、画像信号に含まれる青色の画像信号の強度値を下げるように調整する。
【００４８】
そして、緑色及び・または青色の画像信号の強度が調整されてから、データ処理回路８３に供給される。従って、白色の色温度値や偏差は、消費電力の大小にかかわらず、ほぼ一定に保たれる。
【００４９】
図１０は、第３の実施の形態例におけるＰＤＰと駆動ユニットの構成例を示す図である。駆動ユニット８０の構成は、図８の第１の実施の形態例とほぼ同じである。異なるところは、維持放電期間での維持放電パルスの駆動周波数を検出する駆動周波数検出部９４が設けられ、それが検出した駆動周波数ｆが、信号強度調整部９１やデータ処理回路８３に供給されることにある。駆動周波数検出部９４は、例えば単位時間当たりの維持放電パルス数の平均を検出し、駆動周波数データｆを信号強度調整部９１に提供する。
【００５０】
図５に示した通り、表示負荷率が高くなると駆動周波数ｆは低くなる。これは、駆動ユニットの共通ドライバコントローラ８２にて、消費電力が過剰に高くならないように、図３のように駆動周波数を制御しているからである。従って、駆動周波数ｆを監視することにより、間接的に表示負荷率を監視することができる。しかも、駆動周波数ｆに依存して、図４に示した通りＲＧＢの蛍光体が飽和特性を示す。
【００５１】
従って、駆動周波数ｆが低くなる場合は、信号強度調整部９１は、画像信号に含まれる緑色の画像信号の強度値を下げるように調整する。或いは、画像信号に含まれる青色の画像信号の強度値を上げるように調整する。
【００５２】
または、信号強度調整部９１は、駆動周波数ｆが高くなる場合は、画像信号に含まれる緑色の画像信号の強度値を上げるように調整する。或いは、画像信号に含まれる青色の画像信号の強度値を下げるように調整する。
【００５３】
駆動周波数検出部９４により検出された駆動周波数ｆは、データ処理回路８３に供給されても良い。その場合は、例えばデータ処理回路８３内でのガンマ変換処理におけるガンマテーブルの出力値を調整することで、同様に緑色または青色の輝度値を調整することができる。
【００５４】
駆動周波数ｆは、共通ドライバコントローラ８２により決定される。従って、その決定された駆動周波数ｆの情報を、信号強度調整部９１やデータ処理回路８３に供給して、上記と同様の補正を行っても良い。
【００５５】
次に、第４の実施の形態例について説明する。第４の実施の形態例では、駆動周波数を監視し、駆動周波数が、図４内に示した周波数領域ｆＬ内に制限するようにする。その為に、図１０に示した駆動周波数検出部９４が駆動周波数を監視し、検出した駆動周波数ｆ１を共通ドライバコントローラ８２にフィードバックする。そして、共通ドライバコントローラ８２では、検出される駆動周波数ｆ１が図４の周波数領域ｆＬ内に維持されるように、駆動周波数を制御する。
【００５６】
このように、駆動周波数を周波数領域ｆＬに維持することにより、ＲＧＢの蛍光体の飽和特性を避けて励起させることができる。従って、表示負荷率の変動に依存した白色の色温度の変化や偏差の変化を防止することができ、最適な白色を表示する色の相対的な比率を一定に保つことができる。
【００５７】
上記の実施の形態例において、表示する白色の色温度値として設定値に対して±２００Ｋ以下に維持し、また偏差量として設定値±０．００５ｕｖ以下となるように維持することが望ましい。
【００５８】
また、上記の実施の形態例において、表示負荷率の大小にかかわらず、表示する白色の色度座標値を、黒体放射曲線で表される色温度曲線から±０．００５ｕｖ以内の領域に位置するように設定することで、表示負荷率に依存する白色の色付き現象が認められなくなるため、視覚的に好ましい白色を表示させることが可能となる。
【００５９】
また、上記の実施の形態例において、表示負荷率の増加に伴って白色表示時の色度座標値を色温度が高く且つ偏差量を一定に保つように移動させる特性を与えることで、映像負荷率が高い場合に、色温度の高い白色を表示させることができ、視覚的に好ましい白色を表示させることが可能となる。
【００６０】
上記の実施の形態例において、図４に示した蛍光体の飽和特性が、異なる場合は、それに対応して各色の強度を調整することが必要である。
【００６１】
以上、本発明の保護範囲は、上記の実施の形態例に限定されるものではなく、特許請求の範囲に記載された発明とその均等物にまで及ぶものである。
【００６２】
【発明の効果】
以上、本発明によれば、表示負荷率に依存して白色の色温度値を所定の範囲内に制御することができる。または、白色の色温度曲線における偏差量を所定の範囲内に制御することができる。従って、常に最適の白色若しくはそれに近い白色を表示することができ、高画質の画像を表示することができる。
【図面の簡単な説明】
【図１】色温度曲線図である。
【図２】一般的なＰＤＰの表示負荷率と色温度値及び色温度偏差量との関係を示す図である。
【図３】ＰＤＰの表示負荷率と消費電力及び駆動周波数の関係を示す図である。
【図４】ＰＤＰの駆動周波数ｆと蛍光体単色発光輝度との関係を示す図である。
【図５】表示負荷率と駆動周波数と色温度特性とを一つの表にまとめた図表である。
【図６】本実施の形態例が適用されるＰＤＰのパネル構成図である。
【図７】図６に示したＰＤＰの駆動パルス波形の例を示す図である。
【図８】第１の実施の形態例におけるＰＤＰと駆動ユニットの構成例を示す図である。
【図９】第２の実施の形態例におけるＰＤＰと駆動ユニットの構成例を示す図である。
【図１０】第３の実施の形態例におけるＰＤＰと駆動ユニットの構成例を示す図である。
【符号の説明】
８０              駆動ユニット、駆動部
ＰＤＰ            パネル
ＤＦ              画像信号
ＰＷ１，ＰＷ２    消費電力
ｆ、ｆ１          駆動周波数
ｆＬ              非飽和駆動周波数領域
【図１】
0003580732.tif 000002
【図２】
0003580732.tif 000003
【図３】
0003580732.tif 000004
【図４】
0003580732.tif 000005
【図５】
0003580732.tif 000006
【図６】
0003580732.tif 000007
【図７】
0003580732.tif 000008
【図８】
0003580732.tif 000009
【図９】
0003580732.tif 000010
【図１０】
0003580732.tif 000011